(57)【要約】【課題】部品点数及び組立工数が少なく，廉価な電動ポンプ保持装置を提供する。【解決手段】燃料取り出し管３を外側に有して燃料タンクＴの取り付け壁１に取り付けられる取り付けベース部材２の下面に，燃料タンクＴ内の燃料を燃料取り出し管３に送る電動ポンプＥｐを保持するための，電動ポンプ保持装置において，取り付けベース部材２の下面に，電動ポンプＥｐをその外周面に沿って取り囲み，且つ下端部に係止爪１１を持つ複数の支持ステー１０を一体に形成する一方，電動ポンプＥｐの外周に，係止爪１１と係合し得る係止フランジ１２を形成し，これら係止爪１１及び係止フランジ１２は，電動ポンプＥｐを取り付けベース部材２の定位置にセットしたとき，互いに係合するようになっている。【選択図】      図２
2007291864.tif 000002
【特許請求の範囲】
【請求項１】
燃料取り出し管（３）を外側に有して燃料タンク（Ｔ）の取り付け壁（１）に取り付けられる取り付けベース部材（２）の下面に，燃料タンク（Ｔ）内の燃料を汲み上げて前記燃料取り出し管（３）に送る電動ポンプ（Ｅｐ）を保持するための，電動ポンプ保持装置において，
前記取り付けベース部材（２）の下面に，前記電動ポンプ（Ｅｐ）をその外周面に沿って取り囲み，且つ下端部に係止爪（１１）を持つ複数の支持ステー（１０）を一体に形成する一方，前記電動ポンプ（Ｅｐ）の外周に，前記係止爪（１１）と係合し得る係止フランジ（１２）を形成し，これら係止爪（１１）及び係止フランジ（１２）が，前記電動ポンプ（Ｅｐ）を前記取り付けベース部材（２）の定位置にセットしたとき，互いに係合するように配置されることを特徴とする，電動ポンプ保持装置。
【請求項２】
請求項１記載の電動ポンプ保持装置において，
複数の前記支持ステー（１０）には，これらが前記電動ポンプ（Ｅｐ）の外周面に密着させる方向の弾性力を付与したことを特徴とする，電動ポンプ保持装置。
【請求項３】
請求項２記載の電動ポンプ保持装置において，
各前記係止爪（１１）には，前記係止フランジ（１２）が係合する溝部（１１ａ）と，前記電動ポンプ（Ｅｐ）を前記取り付けベース部材（２）の定位置にセットするとき，前記係止フランジ（１２）を前記溝部（１１ａ）に誘導する斜面（１１ｂ）とを設けたことを特徴とする，電動ポンプ保持装置。
【請求項４】
請求項１〜３の何れかに記載の電動ポンプ保持装置において，
前記係止フランジ（１２）に，燃料タンク（Ｔ）内の燃料残量を検出する燃料残量センサ（１４）を取り付けるブラケット（１３）を一体に形成したことを特徴とする，電動ポンプ保持装置。
【発明の詳細な説明】
【技術分野】
【０００１】
本発明は，主としてエンジンの燃料噴射弁に燃料を供給する燃料供給モジュールにおいて，燃料取り出し管を外側に有して燃料タンクの取り付け壁に取り付けられる取り付けベース部材の下面に，燃料タンク内の燃料を汲み上げて前記燃料取り出し管に送る電動ポンプを保持するための，電動ポンプ保持装置の改良に関する。
【背景技術】
【０００２】
かゝる電動ポンプ保持装置は，特許文献１に開示されるように既に知られている。
【特許文献１】特開平８−２７０５２８号公報
【発明の開示】
【発明が解決しようとする課題】
【０００３】
上記の特許文献１に開示される電動ポンプ保持装置では，三分割されるブラケット，ポンプケース及びフランジ（本発明の取り付けベース部材に対応する）を互いにスナップフィット嵌合により結合することで，フランジに電動モータを保持するようにしているが，こうしたものでは，部品点数が多く，特にスナップフィット嵌合部が上下二組も必要であるから組立工数も多く，全体としてコスト高となるを免れない。
【０００４】
本発明は，かゝる事情に鑑みてなされたもので，部品点数及び組立工数が少なく，廉価な前記電動ポンプ保持装置を提供することを目的とする。
【課題を解決するための手段】
【０００５】
上記目的を達成するために，本発明は，燃料取り出し管を外側に有して燃料タンクの取り付け壁に取り付けられる取り付けベース部材の下面に，燃料タンク内の燃料を汲み上げて前記燃料取り出し管に送る電動ポンプを保持するための，電動ポンプ保持装置において，前記取り付けベース部材の下面に，前記電動ポンプをその外周面に沿って取り囲み，且つ下端部に係止爪を持つ複数の支持ステーを一体に形成する一方，前記電動ポンプの外周に，前記係止爪と係合し得る係止フランジを形成し，これら係止爪及び係止フランジが，前記電動ポンプを前記取り付けベース部材の定位置にセットしたとき，互いに係合するように配置されることを第１の特徴とする。
【０００６】
また本発明は，第１の特徴に加えて，複数の前記支持ステーには，これらが前記電動ポンプの外周面に密着させる方向の弾性力を付与したことを第２の特徴とする。
【０００７】
さらに本発明は，第２の特徴に加えて，各前記係止爪には，前記係止フランジが係合する溝部と，前記電動ポンプを前記取り付けベース部材の定位置にセットするとき，前記係止フランジを前記溝部に誘導する斜面とを設けたことを第３の特徴とする。
【０００８】
さらにまた本発明は，第１〜第３の特徴の何れかに加えて，前記係止フランジに，燃料タンク内の燃料残量を検出する燃料残量センサを取り付けるブラケットを一体に形成したことを第４の特徴とする。
【発明の効果】
【０００９】
本発明の第１の特徴によれば，電動ポンプを支持ステー間に押し込みながら，電動ポンプを取り付けベース部材の定位置にセットするという，簡単な操作により，係止フランジを支持ステーの係止爪に自動的に係合させ，電動ポンプを保持することができる。しかも，この電動ポンプ保持装置は，支持ステー及び係止フランジよりなる極めて簡単なもので，組立工数が少ないことゝ相まって，安価に提供することができる。
【００１０】
本発明の第２の特徴によれば，支持ステーは，それ自体の弾性力により電動ポンプの外周面に密着するので，電動ポンプを遊びなく確実に保持することができる。
【００１１】
本発明の第３の特徴によれば，電動ポンプを支持ステー間に押し込んだとき，係止フランジは，斜面の誘導作用によりスムーズに係止爪の溝部に係合することができ，係止フランジと係止爪との係合を軽快にして，電動ポンプの取り付け作業を一層容易に行うことができる。
【００１２】
本発明の第４の特徴によれば，係止フランジが燃料残量センサの支持部材を兼ねることになり，構造の簡素化に寄与し得る。
【発明を実施するための最良の形態】
【００１３】
本発明の実施の形態を，添付図面に示す本発明の好適な実施例に基づいて以下に説明する。
【００１４】
図１は本発明の実施例に係る燃料供給モジュールを燃料タンクへの取り付け状態で示す縦断正面図（図３の１−１線断面図），図２は同燃料供給モジュールの正面図，図３は図２の３矢視図，図４は図２の４−４線断面図である。
【００１５】
先ず，図１及び図２において，自動二輪車等の車両に搭載される燃料タンクＴの天井壁１には，燃料タンクＴ内の燃料をエンジンの燃料噴射弁Ｉに供給する燃料供給モジュールＭが取り付けられる。この燃料供給モジュールＭは，取り付けベース部材２と，この取り付けベース部材２の直下の燃料タンクＴ内に，軸方向を上下に向けて配置される電動ポンプＥｐと，電動ポンプＥｐの下端に取り付けられる燃料ストレーナ４とを備えており，電動ポンプＥｐは，後述する電動ポンプ保持装置Ｈにより取り付けベース部材２に取り付けられる。
【００１６】
図１に示すように，燃料タンクＴの天井壁１には，その内部に電動ポンプＥｐを挿入するための開口部５が設けられると共に，この開口部５を囲繞する取り付けリング６が固設される。取り付けベース部材２は，上記開口部５を塞ぐように取り付けリング６の上面にシール部材７を介して重ねられ，そして図示しない複数の取り付けボルトにより取り付けリング６に固定される。
【００１７】
この取り付けベース部材２は合成樹脂製であり，取り付けベース部材２の上部には，燃料タンクＴ外で水平方向に突出する燃料取り出し管３が一体成形され，この燃料取り出し管３の外端部には，エンジンの燃料噴射弁Ｉに連なる燃料供給導管３５が接続されるようになっている。
【００１８】
電動ポンプＥｐは，ロータ２０を鉛直方向に向けた電動モータＥと，この電動モータＥにより駆動される燃料ポンプＰとからなっている。電動モータＥは，内周面に周方向に並ぶ複数の磁石１７ａを固設した円筒状のステータ１７と，このステータ１７の上端にカシメ結合される上部軸受ブラケット１８と，同下端部に結合される下部軸受ブラケット１９と，上部及び下部軸受ブラケット１８，１９によりロータ軸２０ａが支承されるロータ２０とから構成される。
【００１９】
燃料ポンプＰは，下部軸受ブラケット１９下面との間にポンプ室２２を画成すべく下部軸受ブラケット１９と共にステータ１７にカシメ結合されるポンプケース２３と，ポンプ室２２に回転自在に収容されてロータ軸２０ａの下端部に連結されるポンプインペラ２４とで，ウエスコ型に構成される。
【００２０】
ポンプケース２３には，ポンプ室２２に開口する吸入ポート２５が設けられ，この吸入ポート２５に，燃料タンクＴ内の底部に配置される前記燃料ストレーナ４が接続され，この燃料ストレーナ４は，ポンプケース２３の下面に突設された支軸２６に取り付けられる。また前記下部軸受ブラケット１９には，ポンプ室２２及びステータ１７内を連通する吐出ポート２７が設けられる。
【００２１】
前記上部軸受ブラケット１８には，その上方に突出すると共に，ステータ１７内と連通する燃料吐出管３０が一体に形成され，この燃料吐出管３０内には電動ポンプＥｐ内部への燃料の逆流を阻止する逆止弁３４が設けられる。
【００２２】
燃料吐出管３０の上端部には連通管３１の下端部がシール部材３２を介して液密に嵌合され，またこの連通管３１の上端部は，取り付けベース部材２の下面の，燃料取り出し管３に連なる嵌合孔２９にシール部材３３を介して液密に嵌合される。こうして電動ポンプＥｐの燃料吐出管３０と取り付けベース部材２の燃料取り出し管３とは，連通管３１を介して連通される。
【００２３】
連通管３１には，その内部の燃料の一部を燃料タンクＴ内に還流させて電動ポンプＥｐの吐出圧力を所定値に調整するレギュレータ弁Ｒが取り付けられる。
【００２４】
前記燃料吐出管３０は上部軸受ブラケット１８の上端面片側に配置される。即ち電動ポンプＥｐの中心から一側方へ所定距離オフセットして配置される。また上部軸受ブラケット１８の上端面の他方の片側には，電動モータＥの給電端子３７が突設される。一方，取り付けベース部材２には，その上面から突出する給電用カプラ３８が一体に形成され，このカプラ３８内のカプラ端子３９と前記給電端子３７とが中継導線４０を介して接続される。
【００２５】
而して，電動ポンプＥｐにおいて，電動モータＥを作動すれば，そのロータ軸２０ａによりポンプインペラ２４が回転駆動される。これに伴い燃料タンクＴ内の燃料が燃料ストレーナ４で濾過されながら吸入ポート２５からポンプ室２２に吸入され，ポンプインペラ２４により昇圧されて吐出ポート２７からステータ１７内へ圧送され，燃料吐出管３０，連通管３１及び燃料取り出し管３を経て燃料噴射弁Ｉに供給される。
【００２６】
その間，電動ポンプＥｐの吐出圧力が所定値を超えると，レギュレータ弁Ｒが開弁して電動ポンプＥｐの吐出燃料の一部を燃料タンクＴ内に還流させることで，電動ポンプＥｐの吐出圧力，即ち燃料噴射弁Ｉからの燃料噴射圧力が適正に制御される。
【００２７】
さて，前記電動ポンプ保持装置Ｈについて，図２〜図４により説明する。
【００２８】
取り付けベース部材２には，その下面から前記レギュレータ弁Ｒを避けながら突出して電動ポンプＥｐをその外周面に沿って取り囲む複数の支持ステー１０，１０が一体に形成され，これら支持ステー１０，１０は，電動ポンプＥｐの外周面に適合する断面円弧状をなしている。図示例では，支持ステー１０は，電動ポンプＥｐの直径線上で対向するように一対配置される。これら支持ステー１０，１０には，これを電動ポンプＥｐの外周面との密着方向に付勢する弾性力が付与されると共に，各下端部に係止爪１１，１１が形成される。各係止爪１１，１１は，電動ポンプＥｐ側に開放した円弧状の溝部１１ａと，この溝部１１ａの下縁に連なる斜面１１ｂとを有しており，その斜面１１ｂは，電動ポンプＥｐに近づきつゝ上向きとなるように傾斜している。
【００２９】
一方，電動ポンプＥｐのステータ１７外周には，上記係止爪１１，１１の溝部１１ａに係合し得る環状の係止フランジ１２が形成される。図示例では，係止フランジ１２としてリング体を電動ポンプＥｐの外周面に溶接したが，これをステータ１７に一体形成することもできる。
【００３０】
上記係止爪１１，１１及び係止フランジ１２は，電動ポンプＥｐを取り付けベース部材２の定位置にセットしたとき，即ち，電動ポンプＥｐの燃料吐出管３０を連通管３１を介して取り付けベース部材２に適正に接続したとき，係止フランジ１２が係止爪１１，１１の溝部１１ａに係合するように配置される。
【００３１】
係止フランジ１２には，支持ステー１０，１０を避ける位置で一側方に張り出すブラケット１３が一体に形成されており，このブラケット１３には，燃料タンクＴ内の燃料残量を検知する燃料残量センサ１４が取り付けられる。
【００３２】
次に，この実施例の作用について説明する。
【００３３】
取り付けベース部材２に電動ポンプＥｐを取り付ける際には，先ず，連通管３１を電動ポンプＥｐの燃料吐出管３０に嵌合して取り付け，また中継導線４０により給電端子３７及びカプラ端子３９間を接続状態にしておく。
【００３４】
次いで，電動ポンプＥｐを一対の支持ステー１０，１０間に下方から挿入していき，上記連通管３１をベース部材２の嵌合孔２９に嵌合させると，その過程で係止フランジ１２が支持ステー１０，１０の係止爪１１，１１の斜面１１ｂを滑ることにより，係止爪１１，１１を外方に押し開き，係止フランジ１２が斜面１１ｂを通過するや否や，支持ステー１０，１０がそれ自体の弾性力により係止爪１１，１１の溝部１１ａを係止フランジ１２に係合させることになり，電動ポンプＥｐを保持することができる。
【００３５】
このように電動ポンプＥｐを支持ステー１０，１０間に単に押し込むだけで，係止フランジ１２が支持ステー１０，１０の係止爪１１，１１に自動的に係合して，電動ポンプＥｐを保持するので，その取り付け作業を極めて容易に行うことができる。しかも，この電動ポンプ保持装置Ｈは，支持ステー１０，１０及び係止フランジ１２よりなる極めて簡単なもので，組立工数が少ないことゝ相まって，安価に提供することができる。
【００３６】
また，支持ステー１０，１０は，それ自体の弾性力により電動ポンプＥｐの外周面に密着するので，電動ポンプＥｐを遊びなく確実に保持することができる。
【００３７】
さらに，電動ポンプＥｐの燃料吐出管３０は，電動ポンプＥｐの中心から所定距離オフセットしているので，支持ステー１０，１０による電動ポンプＥｐの保持状態では燃料吐出管３０と取り付けベース部材２の嵌合孔２９との嵌合により，電動ポンプＥｐの回転を阻止することができ，したがって，取り付けベース部材２及び電動ポンプＥｐ間に，電動ポンプＥｐのための特別な回り止め手段を設ける必要がなく，構造の簡素化に寄与し得る。
【００３８】
さらにまた，係止フランジ１２に，燃料残量センサ１４を取り付けるブラケット１３を一体に形成することで，係止フランジ１２が燃料残量センサ１４の支持部材を兼ねることになり，構造の一層の簡素化に寄与し得る。
【００３９】
本発明は上記実施例に限定されるものではなく，その要旨を逸脱しない範囲で種々の設計変更が可能である。例えば，係止フランジ１２は，必ずしも環状である必要はなく，複数の支持ステー１０，１０の係止爪１１，１１のみに対応するよう，複数の円弧状片に分割して配置することもできる。また連通管３１は，燃料吐出管３０又は取り付けベース部材２側に一体に形成することもできる。
【図面の簡単な説明】
【００４０】
【図１】本発明の実施例に係る燃料供給モジュールを燃料タンクへの取り付け状態で示す縦断正面図（図３の１−１線断面図）。
【図２】同燃料供給モジュールの正面図。
【図３】図２の３矢視図。
【図４】図２の４−４線断面図。
【符号の説明】
【００４１】
Ｅｐ・・・・電動ポンプ
Ｈ・・・・・電動ポンプ保持装置
Ｔ・・・・・燃料タンク
１・・・・・取り付け壁（天井壁）
２・・・・・取り付けベース部材
３・・・・・燃料取り出し管
１０・・・・支持ステー
１１・・・・係止爪
１１ａ・・・溝部
１１ｂ・・・斜面
１２・・・・係止フランジ
１３・・・・ブラケット
１４・・・・燃料残量センサ
【図１】
2007291864.tif 000003
【図２】
2007291864.tif 000004
【図３】
2007291864.tif 000005
【図４】
2007291864.tif 000006